(57)【要約】測定装置（Ａ）は、測定位置（Ｐ）に測定用具（Ｓ）が配されたときに、測定用具（Ｓ）とコネクタ（４）との少なくとも一方を他方寄りに移動させてこれらを圧接させる加圧手段（Ｃ）を備えている。このような構成によれば、コネクタ（４）の磨耗に起因してコネクタ（４）と測定用具（Ｓ）とが接触不良を生じることが防止される。
2003073091.tif 000002
【特許請求の範囲】
【請求項１】
所定位置にセットされている測定用具をコネクタとの接触が可能な測定位置に移送する測定用具移送手段と、
上記測定用具が上記コネクタに接触したときにこの測定用具を利用した測定処理が可能な測定回路と、
を備えている、測定装置であって、
上記測定位置に上記測定用具が配されたときに、上記測定用具と上記コネクタとの少なくとも一方を他方寄りに移動させてこれらを圧接させる加圧手段を備えていることを特徴とする、測定装置。
【請求項２】
上記加圧手段は、上記コネクタを上記測定用具寄りに移動させることが可能に、上記コネクタを一定方向に往復動自在とする機構を有している、請求項１に記載の測定装置。
【請求項３】
上記コネクタは、上記測定用具が上記測定位置に移送されてくるときに上記測定用具との接触を避けるように上記測定位置から離反する構成とされている、請求項２に記載の測定装置。
【請求項４】
上記加圧手段は、上記コネクタを支持する支持部材と、この支持部材とは別体の押圧部材とを具備しており、
上記押圧部材は、上記コネクタが上記測定用具から離反する方向に移動するように上記支持部材の片面を押圧して上記支持部材に変形を生じさせる第１の動作と、上記コネクタが上記測定用具寄りに移動するように上記支持部材の上記片面とは反対面を押圧して上記支持部材に変形を生じさせる第２の動作とが可能である、請求項３に記載の測定装置。
【請求項５】
上記支持部材は、一定方向に延びているとともに、この支持部材の長手方向に間隔を隔てて位置する第１および第２の切り欠き凹部を有しており、
上記押圧部材は、上記支持部材の片面側において所定の初期位置から一定方向に前進することにより上記第１の動作後に上記第１の切り欠き凹部を通過して上記支持部材の上記片面側とは反対面側に移動するとともに、この反対面側において上記第２の動作後に上記前進方向とは反対方向に後退することにより第２の切り欠き凹部を通過して上記初期位置に復帰可能な構成とされている、請求項４に記載の測定装置。
【請求項６】
上記支持部材は、上記第１および第２の切り欠き凹部の間に位置する傾斜部を有しており、
上記押圧部材は、上記前進および後退するときに上記傾斜部を押圧することにより上記支持部材の上記第１および第２の動作がなされるように構成されている、請求項５に記載の測定装置。
【請求項７】
上記測定用具移送手段は、上記支持部材の長手方向に往復動自在な可動部材を有しており、
上記押圧部材は、上記可動部材の往復動に伴って往復動を行なうように上記可動部材に支持されている、請求項６に記載の測定装置。
【請求項８】
上記測定用具が上記測定位置に配されたときに、上記測定用具の後退を防止するように上記測定用具の後端部に当接可能なストッパを備えている、請求項１に記載の測定装置。
【請求項９】
上記ストッパは、上記コネクタに突設されており、
上記測定位置に上記測定用具が移送されてくるときには、上記コネクタが上記測定位置から離反することにより上記ストッパと上記測定用具との干渉が回避されるとともに、上記測定用具の移送後に上記コネクタが上記測定用具寄りに移動することによって上記ストッパが上記測定用具の後方に位置する構成とされている、請求項８に記載の測定装置。
【請求項１０】
上記測定用具が上記測定位置に配されたときにこの測定用具の少なくとも一部を外部に露出させるための開口部が形成されている筐体を備えており、
上記測定用具移送手段は、上記測定用具を上記開口部から上記筐体の外部に排出させる動作が可能に構成されている、請求項１に記載の測定装置。
【請求項１１】
上記コネクタは、上記測定用具が上記開口部から上記筐体の外部に排出されるときには上記測定位置から離反するように構成されている、請求項１０に記載の測定装置。
【請求項１２】
上記測定用具移送手段は、上記測定用具を押動するための可動部材を有しており、この可動部材は、上記測定用具を上記筐体の外部に排出させるように移動するときに上記コネクタと接触することによって、上記コネクタを上記測定位置から離反させる方向に押動するように構成されている、請求項１１に記載の測定装置。
【発明の詳細な説明】
技術分野
本発明は、たとえば人間の血液中のグルコースの濃度を測定するといった用途に用いられる測定装置に関する。
背景技術
測定装置に関する従来技術としては、複数のセンサを収容したカートリッジを所定位置にセットした状態において、センサ移送用の機構を動作させると、上記カートリッジ内からセンサが１つずつ取り出されて所定の測定位置に移送されるように構成されたものがある（たとえば、特開平８−２６２０２６号公報参照）。上記センサとしては、たとえば血液中のグルコースと反応する試薬と一対の電極とを備えた小片状のものが用いられている。上記測定位置の近傍にはコネクタが設けられており、上記センサが上記測定位置に移送されると、このコネクタが上記センサの一対の電極に接触するようになっている。このような状態において、上記センサの試薬に使用者の血液を付着させると、この測定装置に別途設けられている測定回路が上記血液中のグルコース濃度を測定し、その測定結果が表示画面に表示されるようになっている。このような測定装置によれば、グルコース濃度の測定を簡単に行なうことができる。
しかしながら、上記従来技術においては、上記センサと上記コネクタとの接触を確実に行なわせる手段として、上記センサが上記測定位置に移送されるときにこのセンサと上記コネクタとが強く擦れ合うように構成されていた。このため、上記従来技術においては、上記測定装置を多数回にわたって繰り返し使用すると、上記コネクタや上記センサの電極に磨耗を生じ、これらが適切に接触しなくなる場合があった。また、上記電極の磨耗によって発生する粉が上記コネクタに付着することに起因して、電気的な短絡を生じたり、グルコース濃度の測定値が不正確になる場合もあった。
発明の開示
本発明の目的は、上記問題点を解消し、または抑制することが可能な測定装置を提供する点にある。
本発明によって提供される測定装置は、所定位置にセットされている測定用具をコネクタとの接触が可能な測定位置に移送する測定用具移送手段と、上記測定用具が上記コネクタに接触したときにこの測定用具を利用した測定処理が可能な測定回路と、を備えている測定装置であって、上記測定位置に上記測定用具が配されたときに、上記測定用具と上記コネクタとの少なくとも一方を他方寄りに移動させてこれらを圧接させる加圧手段を備えていることを特徴としている。
好ましくは、上記加圧手段は、上記コネクタを上記測定用具寄りに移動させることが可能に上記コネクタを一定方向に往復動自在とする機構を有している。
好ましくは、上記コネクタは、上記測定用具が上記測定位置に移送されてくるときに上記測定用具との接触を避けるように上記測定位置から離反する構成とされている。
好ましくは、上記加圧手段は、上記コネクタを支持する支持部材と、この支持部材とは別体の押圧部材とを具備しており、上記押圧部材は、上記コネクタが上記測定用具から離反する方向に移動するように上記支持部材の片面を押圧して上記支持部材に変形を生じさせる第１の動作と、上記コネクタが上記測定用具寄りに移動するように上記支持部材の上記片面とは反対面を押圧して上記支持部材に変形を生じさせる第２の動作とが可能である。
好ましくは、上記支持部材は、一定方向に延びているとともに、この支持部材の長手方向に間隔を隔てて位置する第１および第２の切り欠き凹部を有しており、上記押圧部材は、上記支持部材の片面側において所定の初期位置から一定方向に前進することにより上記第１の動作後に上記第１の切り欠き凹部を通過して上記支持部材の上記片面側とは反対面側に移動するとともに、この反対面側において上記第２の動作後に上記前進方向とは反対方向に後退することにより第２の切り欠き凹部を通過して上記初期位置に復帰可能な構成とされている。
好ましくは、上記支持部材は、上記第１および第２の切り欠き凹部の間に位置する傾斜部を有しており、上記押圧部材は、上記前進および後退するときに上記傾斜部を押圧することにより上記支持部材の上記第１および第２の動作がなされるように構成されている。
好ましくは、上記測定用具移送手段は、上記支持部材の長手方向に往復動自在な可動部材を有しており、上記押圧部材は、上記可動部材の往復動に伴って往復動を行なうように上記可動部材に支持されている。
好ましくは、本発明に係る測定装置は、上記測定用具が上記測定位置に配されたときに、上記測定用具の後退を防止するように上記測定用具の後端部に当接可能なストッパを備えている。
好ましくは、上記ストッパは、上記コネクタに突設されており、上記測定位置に上記測定用具が移送されてくるときには、上記コネクタが上記測定位置から離反することにより上記ストッパと上記測定用具との干渉が回避されるとともに、上記測定用具の移送後に上記コネクタが上記測定用具寄りに移動することによって上記ストッパが上記測定用具の後方に位置する構成とされている。
好ましくは、本発明に係る測定装置は、上記測定用具が上記測定位置に配されたときにこの測定用具の少なくとも一部を外部に露出させるための開口部が形成されている筐体を備えており、上記測定用具移送手段は、上記測定用具を上記開口部から上記筐体の外部に排出させる動作が可能に構成されている。
好ましくは、上記コネクタは、上記測定用具が上記開口部から上記筐体の外部に排出されるときには上記測定位置から離反するように構成されている。
好ましくは、上記測定用具移送手段は、上記測定用具を押動するための可動部材を有しており、この可動部材は、上記測定用具を上記筐体の外部に排出させるように移動するときに上記コネクタと接触することによって、上記コネクタを上記測定位置から離反させる方向に押動するように構成されている。
本発明のその他の特徴および利点については、以下に行う発明の実施の形態の説明から、より明らかになるであろう。
発明を実施するための最良の形態
以下、本発明の好ましい実施の形態について、図面を参照しつつ具体的に説明する。
図１および図２は、本発明に係る測定装置の一例を示している。図１によく表われているように、本実施形態の測定装置Ａは、複数のセンサＳを収容するための収容部１、この収容部１からセンサＳを取り出して所定の測定位置Ｐに移送させるためのセンサ取り出し移送機構Ｂ、測定回路３、コネクタ４、コネクタ加圧機構Ｃ、およびこれらを覆う筐体５を具備して構成されている。センサＳは、小片状であり、グルコースに反応する試薬やこの試薬に接触する一対の電極（いずれも図示略）を有している。
収容部１は、複数のセンサＳを上下方向に積層して収容可能な略ボックス状であり、角筒状の壁部１ａを有している。壁部１ａの上端は、筐体５内に固定されたベース部材７０の下面部と繋がっている。壁部１ａの上部には、センサＳを収容部１内からその前方（図面右方）に排出するための排出口１９と、これに対向する切り欠き凹部１９ａとが形成されている。切り欠き凹部１９ａは、後述する第２の可動部材２Ｂの通路となる部分である。収容部１の下部には蓋体６０によって閉塞可能な挿入口１０が形成されており、蓋体６０を取り外すと、挿入口１０から収容部１内に適当数のセンサＳを追加補充できるようになっている。蓋体６０には、収容部１に収容された複数のセンサＳのうちの最下層のセンサＳに当接する当接板６１と、この当接板６１を上方に付勢するバネ６２とが装着されている。これらの部材の作用により収容部１内の複数のセンサＳは常に上方に付勢されている。
図２によく表われているように、収容部１内には、一対の当接板１３が可動部材２Ｂの通路を避けるようにして設けられている。収容部１内の最上層のセンサＳ（Ｓａ）は、それら当接板１３の下向きの面１３ａに当接することにより、一定の高さに規定される。当接板１３はバネ１２によって下向きの弾発力を受けている。ただし、その弾発力はバネ６２の弾発力よりも小さく、各当接板１３はバネ６２の上向きの弾発力によってベース部材７０の下面に当接するようになっている。収容部１の下部の内壁面には、突起状の一対のストッパ１１が設けられている。各ストッパ１１は、挿入口１０の下方から収容部１内へのセンサＳの挿入を許容するように弾性変形可能である一方、収容部１に収容されたセンサＳが挿入口１０から落下しないように最下層のセンサＳと係合可能である。このようなストッパ１１を設けておけば、蓋体６０を取り外して収容部１にセンサＳを補充するときに、収容部１内のセンサＳが挿入口１０から落下する虞れがなくなるため、センサＳの補充作業が容易化される。
図１において、コネクタ４の下方に設けられた支持部７１上の領域が、測定位置Ｐである。支持部７１は、収容部１から移送されてきたセンサＳを支持するための略水平状の上向き面を有しており、排出口１９の前方に設けられている。筐体５のうち、測定位置Ｐの前方部分には露出用および排出用の開口部５０が設けられている。
コネクタ４は、合成樹脂製のブロック体４０の下面部に、センサＳの一対の電極に接触させるための金属製の端子４１が設けられた構成を有している。測定回路３は、ＣＰＵやこれに付属するメモリなどを具備して構成されており、コネクタ４と配線接続されている。この測定回路３は、測定位置Ｐに配されたセンサＳの一対の電極にコネクタ４が電気的に接続された状態において、センサＳの試薬に人間の血液が導入されると、その後の試薬に流れる電流の変化などに基づいて上記血液中のグルコースの濃度を求めることが可能に構成されている。この測定回路３によって求められたグルコース濃度の値やその他の情報は、たとえば液晶パネルを用いて構成された表示器３０によって表示可能となっている。
コネクタ加圧機構Ｃは、図３に示すように、コネクタ４を支持する一対ずつの第１および第２の支持部材４２Ａ，４２Ｂと、押圧体２０とを具備して構成されている。
第１および第２の支持部材４２Ａ，４２Ｂのそれぞれは、測定装置Ａの前後方向Ｎ１に延びた金属製の板バネからなり、各後端部が筐体５の上面壁部に対してブラケット５１を介して取り付けられ、かつ各先端部にコネクタ４が取り付けられた片もち梁状である（図１参照）。図面には示されていないが、各第２の支持部材４２Ｂは、コネクタ４の端子４１と電気的に導通しており、端子４１と測定回路３とを電気的に接続する配線部としての役割を果たしている。端子４１については、たとえば各第２の支持部材４２Ｂと一体的に繋がったものとして形成することが可能である。コネクタ４は、第２の支持部材４２Ｂを用いることなく、第１の支持部材４２Ａのみによって支持することが可能である。したがって、本発明においては、第２の支持部材４２Ｂに代えて、配線コードのような部材を用いることによってコネクタ４の端子４１と測定回路３との電気的な配線接続を図った構成とすることもできる。各第１の支持部材４２Ａは、その長手方向中間部分に位置して前下がり状に傾斜した傾斜部４３と、この傾斜部４３を挟むようしてその前後に設けられた第１および第２の切り欠き凹部４４ａ，４４ｂとを有している。これらの部分は、後述するように、押圧体２０と関連することによりコネクタ４に所定の昇降動作を行なわせるのに役立つ。
押圧体２０は、一対の第１の支持部材４２Ａのそれぞれを押圧してこれらを上下方向に撓み変形させるためのものであり、たとえば円柱状である。この押圧体２０は、センサ取り出し移送機構Ｂの第２の可動部材２Ｂに板バネ２３を介して支持されており、昇降可能であるとともに、第２の可動部材２Ｂに伴って前後方向Ｎ１に往復動可能である。押圧体２０が往復動を行なうときには、後述するように、第１の支持部材４２Ａの傾斜部４３を押圧したり、第１および第２の切り欠き凹部４４ａ，４４ｂをその上下方向に通過するといった所定の動作を行なうようになっている。
センサ取り出し移送機構Ｂは、第１および第２の可動部材２Ａ，２Ｂと、可動ブロック２２とを有している。第１の可動部材２Ａは、筐体５の上面部に配された操作用摘まみ７２と係合する一対の突起２１を備えており、操作用摘まみ７２が操作されることによってベース部材７０上においてこの測定装置Ａの前後方向Ｎ１に往復動可能である。第２の可動部材２Ｂは、第１の可動部材２Ａの前方に配されており、第１の可動部材２Ａに伴ってこれと同方向に往復動可能である。これら第１および第２の可動部材２Ａ，２Ｂは、たとえば図３に示す一対のバネ７９による後方への弾発力ｆを常時受けており、これら第１および第２の可動部材２Ａ，２Ｂを前進させるときには弾発力ｆに抗して操作用摘まみ７２を前方へ操作することとなる。本実施形態においては、第１および第２の可動部材２Ａ，２Ｂが別体に形成されているが、本発明においては、これらを一体に形成した構成とすることもできる。ベース部材７０は収容部１を支持するのに加え、第１および第２の可動部材２Ａ，２Ｂのスライドガイド機能をも有し、収容部１の排出口１９および切り欠き凹部１９ａに繋がったスリット７３を有している。第２の可動部材２Ｂは、それらスリット７３、切り欠き凹部１９ａ、および排出口１９を通過可能であり、このことによって収容部１内の最上層のセンサＳ（Ｓａ）を測定位置Ｐに向けて押し出すことが可能である。
可動ブロック２２は、第１の可動部材２Ａに設けられた開口孔２４に嵌入しており、この測定装置Ａの幅方向Ｎ２に移動可能である。ただし、この可動ブロック２２は、バネ２５によって常時矢印Ｎ３方向に付勢されている。図４によく表われているように、ベース部材７０にはカム溝２６が設けられているとともに、可動ブロック２２の底面部にはカム溝２６に係入する下向きのピン２７が設けられている。
カム溝２６は、図５に示すような形状を有している。同図の上方が測定装置Ａの前方である。第１および第２の可動部材２Ａ，２Ｂが最も後退しているときには、ピン２７はカム溝２６の第１のポジションＰ１に位置する。第１および第２の可動部材２Ａ，２Ｂを往復動させる場合、ピン２７は、カム溝２６の第２のポジションＰ２まで所定距離Ｓ１だけ前進した後に、第３のポジションＰ３まで後退し、その後は第４のポジションＰ４まで前進してから第１のポジションＰ１に復帰する経路を辿るようになっている。このようなことにより、第１および第２の可動部材２Ａ，２Ｂの１サイクルの移動動作には、２回の前進動作が行なわれるようになっている。ただし、第２のポジションＰ２よりも第４のポジションＰ４の方が所定寸法Ｓ２だけ前方に位置している。このため、第１および第２の可動部材２Ａ，２Ｂの１回目の前進動作時よりも２回目の前進動作時の方が、第１および第２の可動部材２Ａ，２Ｂはより前方に前進できるようになっている。ピン２７が幅方向Ｎ２に移動するときには、可動ブロック２２が幅方向Ｎ２に移動し、第１の可動部材２Ａは同方向に振れないようになっている。既述したとおり、可動ブロック２２は、バネ２５によって常時矢印Ｎ３方向に付勢されているために、ピン２７が第２のポジションＰ２から第３のポジションＰ３に移動するときや、第４のポジションＰ４から第１のポジションＰ１に復帰するときには、ピン２７が上記矢印Ｎ３方向に積極的に移動することとなって、それらの動作が確実に行なわれることとなる。ピン２７は、第１のポジションＰ１から前進するときには、カム溝２６に設けられている壁部２６ａに接触してガイドされることにより、第４のポジションＰ４に向けては直進しないようになっている。
次に、測定装置Ａの動作および作用について説明する。
まず、図１に示した状態において、操作用摘まみ７２を前方に操作すると、図６に示すように、第１および第２の可動部材２Ａ，２Ｂが前進し、第２の可動部材２Ｂの先端部が溝部７３を通過する。このことにより、第２の可動部材２Ｂは、収容部１内の最上層のセンサＳ（Ｓａ）を収容部１の前方に押し出し、測定位置Ｐに移送する。その際、押圧体２０は、各第１の支持部材４２Ａの傾斜部４３の下面を前方に押圧しながら前進する。押圧体２０が第２の可動部材２Ｂの上面上に配され、かつこの押圧体２０の後部がたとえば第１の可動部材２Ａの適当な壁部２９に当接するように構成しておけば、押圧体２０の下降や後退を防止し、この押圧体２０によって傾斜部４３を前方へ押圧することができる。傾斜部４３の下面が押圧体２０によって前方に押圧されると、各第１の支持部材４２Ａは上方に撓み、コネクタ４が上昇する。したがって、測定位置ＰにセンサＳ（Ｓａ）が移送されるときには、このセンサＳ（Ｓａ）と端子４１との接触が回避されることとなり、端子４１の磨耗が好適に防止される。したがって、多数回にわたる繰り返し使用にも耐え得るものとなる。また、測定位置ＰへのセンサＳ（Ｓａ）の移送も円滑に行なわれることとなる。
次いで、図７に示すように、ピン２７がカム溝２６の第２のポジションＰ２に到達するように、第１および第２の可動部材２Ａ，２Ｂがさらに前進させられると、センサＳはさらに前進し、その一部は開口部５０から筐体５の外部に突出する。一方、押圧体２０は第１の支持部材４２Ａの第１の切り欠き凹部４４ａの形成箇所に到達し、この部分を通過することにより各第１の支持部材４２Ａの上方に移動する。すると、押圧体２０による第１の支持部材４２Ａの押し上げ状態は解除され、コネクタ４は元の高さに下降する。上記した第１および第２の可動部材２Ａ，２Ｂの前進は、図５を参照して説明した１回目の前進であり、これに引き続いて２回目の前進を行なわせるためには、それらを一旦後退させる必要がある。この後退動作は、一対のバネ７９の弾発力を利用して簡単に行なわせることができる。
図８に示すように、第１および第２の可動部材２Ａ，２Ｂの後退は、ピン２７が第３のポジションＰ３に位置するようになされる（図８に示されているカム溝２６の一部分は、図１，図６および図７に示されたカム溝２６の一部分とは異なる部分であり、これは図９および図１０においても同様である）。このように第１および第２の可動部材２Ａ，２Ｂが後退するときには、押圧体２０が各第１の支持部材４２Ａの傾斜部４３の上面を後方に押圧する。この押圧体２０の押圧力は、各第１の支持部材４２Ａを下方へ撓ませるように作用する力であり、コネクタ４には押し下げ力Ｆが働く。したがって、コネクタ４の端子４１をセンサＳ（Ｓａ）の一対の電極に圧接させることができ、これらの電気的な接続を確実に図ることが可能となる。コネクタ４がセンサＳ（Ｓａ）に圧接している期間においては、センサＳ（Ｓａ）への血液の点着がなされ、かつ測定回路３によりこの血液中のグルコース濃度の測定処理が行なわれることとなる。
図９に示すように、操作用摘まみ７２を再度前進操作することにより、第１および第２の可動部材２Ａ，２Ｂに２回目の前進を行なわせると、第２の可動部材２ＢがセンサＳ（Ｓａ）を開口部５０から筐体５の外部に押し出す。したがって、使用者は、センサＳ（Ｓａ）に手を触れることなくこのセンサＳ（Ｓａ）を廃棄することができ、衛生的となる。
２回目の前進を終えた後には、図１０に示すように、第１および第２の可動部材２Ａ，２Ｂを元の初期位置に後退復帰させることが可能である。押圧体２０は上下方向に変移可能であるため、第１および第２の可動部材２Ａ，２Ｂが後退するときには、同図の仮想線に示すように、押圧体２０が各第１の支持部材４２Ａの上方および第２の切り欠き凹部４４ｂを通過するようにし、この押圧体２０についても元の初期位置に復帰させることが可能である。図面には示していないが、この測定装置Ａには、押圧体２０の上記したような復帰を円滑に行なわせるためのガイドが設けられている。
この測定装置Ａにおいては、収容部１内の最上層のセンサＳ（Ｓａ）が収容部１の外部に取り出されると、その直下に位置していた次のセンサＳが新たな最上層のセンサとなり、第１および第２の可動部材２Ａ，２Ｂの次の前進動作によって測定位置Ｐに移送可能となる。したがって、上記したグルコース濃度の測定処理を繰り返して実行することができる。また、既述したように、収容部１内には適当数のセンサＳを適宜補充することができるために、たとえば長期間の外出を行なうような場合には、収容部１内にセンサＳを満杯または略満杯に収容しておくこともでき、便利となる。センサＳが収容部１から測定位置Ｐに移送される順序は、収容部１内にセンサＳが収容された順序と一致するため、センサＳは古いものから順番に使用されることとなり、センサＳが収容部１内において未使用のまま長期間収容されて経時劣化するといった虞れも少なくなる。
コネクタ加圧機構Ｃは、既述したように、押圧体２０が一定の軌跡で循環移動することにより第１の支持部材４２Ａを押圧する作用を利用して、コネクタ４がセンサＳに対して接近および離反するようになっており、その構造は簡素である。したがって、測定装置Ａの製造コストが高価になることを抑制するのに好適となる。押圧体２０の移動は、第１および第２の可動部材２Ａ，２Ｂの往復動作を利用して行なわれるようになっているために、全体構造の簡素化を図るのにより好ましく、また操作の容易化も図られる。
図１１および図１２は、本発明の他の実施形態を示している。これらの図において、上記実施形態と同一または類似の要素には、上記実施形態と同一の符号を付している。
図１１に示す構成においては、コネクタ４のブロック体４０の下面部に、突起状のストッパ４９が設けられている。このストッパ４９は、コネクタ４の端子４１を挟んで筐体５の開口部５０とは反対の箇所に位置しており、かつ端子４１よりも下方に突出している。
このような構成においては、センサＳをコネクタ４の端子４１と支持部７１との間に挟ませた状態として、血糖値の測定を行なうときに、このセンサＳの先端部が仮に使用者によって矢印Ｎ５方向に押圧されたとしても、このセンサＳの後端部がストッパ４９に当接することにより、このセンサＳの後退は阻止される。したがって、センサＳが使用者によって筐体５内に誤って押し込まれないようにすることができ、一層便利である。
図１２に示す構成においては、第２の可動部材２Ｂの上面部に前下がり（図面においては右下がり）の傾斜面４８が設けられている。コネクタ４には、傾斜面４８に接触させるための傾斜面２８が設けられている。これらの傾斜面４８，２８は、第２の可動部材２Ｂが開口部５０寄りに前進したときに互いに接触する。コネクタ４は、それらの接触作用により上昇するようになっている。
このような構成によれば、支持部７１上のセンサＳを筐体５の外部に排出させようとして第２の可動部材２Ｂを前進させるときに、コネクタ４を上昇させることができる。したがって、センサＳをコネクタ４の端子４１に摺接しないようにして筐体５の外部に押し出すことが可能となり、端子４１の磨耗防止が一層徹底して図られる。なお、コネクタ４を上昇させるための傾斜面は、コネクタ４と第２の可動部材２Ｂのそれぞれに設けられている必要はなく、いずれか一方のみに設けられた構成とすることもできる。
本発明は、上述した実施形態の内容に限定されない。本発明に係る測定装置の各部の具体的な構成は、種々に設計変更自在である。
本発明でいう加圧手段としては、たとえば往復シリンダなどの往復動作が可能な機器にコネクタを直接支持させることにより、コネクタをセンサに対向する方向に往復動可能に設けた構成とすることもできる。また、コネクタをセンサに向けて押圧するのに代えて、センサをコネクタに向けて押圧することにより、コネクタとセンサとを圧接させる構成としてもかまわない。
本発明に係る測定装置は、血液中のグルコース濃度測定を行なうものに限定されない。医療分野、あるいは医療分野とは異なる技術分野の各種の測定装置として構成することも可能である。したがって、測定用具の具体的な構成も限定されない。
本発明においては、測定用具をセットしておくための部分の構造も限定されず、たとえば複数の測定用具を包装した包装パッケージを測定装置の適所に装着しておき、この包装パッケージ内から測定用具を所定の測定位置に移送させるようにしてもかまわない。測定装置に一度にセットされる測定用具の数は、複数である必要はなく、測定用具を１つずつセットするように構成されていてもかまわない。コネクタは、合成樹脂製のブロック体を有している必要はなく、たとえば測定用具に接触させるための端子のみからなる構成であってもよい。本発明でいう測定用具移送手段としては、種々の構造の手段を用いることができる。また、本発明においては、測定装置の各部の機械的な動作を手動で行なわせるのに代えて、たとえば電動モータの駆動により各部を動作させるようにしてもかまわない。
【図面の簡単な説明】
図１は、本発明に係る測定装置の一実施形態を示す概略断面図である。
図２は、図１のＩＩ−ＩＩ断面図である。
図３は、図１の測定装置に用いられているセンサ取り出し移送機構の概略斜視図である。
図４は、図１の測定装置に用いられているセンサ取り出し移送機構の要部分解斜視図である。
図５は、図４の要部平面図である。
図６は、図１の測定装置の動作状態を示す概略断面図である。
図７は、図１の測定装置の動作状態を示す概略断面図である。
図８は、図１の測定装置の動作状態を示す概略断面図である。
図９は、図１の測定装置の動作状態を示す概略断面図である。
図１０は、図１の測定装置の動作状態を示す概略断面図である。
図１１は、本発明の他の実施形態を示す要部断面図である。
図１２は、本発明の他の実施形態を示す要部断面図である。
【図１】
2003073091.tif 000003
【図２】
2003073091.tif 000004
【図３】
2003073091.tif 000005
【図４】
2003073091.tif 000006
【図５】
2003073091.tif 000007
【図６】
2003073091.tif 000008
【図７】
2003073091.tif 000009
【図８】
2003073091.tif 000010
【図９】
2003073091.tif 000011
【図１０】
2003073091.tif 000012
【図１１】
2003073091.tif 000013
【図１２】
2003073091.tif 000014
【国際調査報告】
2003073091.tif 000015
2003073091.tif 000016
2003073091.tif 000017
2003073091.tif 000018